(57)【要約】【課題】簡易な構造を採用しつつ、枠状体とフィルタとを分離可能にする。【解決手段】フィルタユニット１００は、フィルタ１と、フィルタ１を取り囲んだ枠状体２とを有する。フィルタ１と枠状体２との間にはシール部材３が充填されている。また、枠状体２の内側面には、シール部材３と対向する部分に塗布剤４が塗布されている。塗布剤４には、熱可塑性材料が含有されている。フィルタユニット１００を加熱すると、塗布剤４に含有された熱可塑性材料が軟化することにより、枠状体２をフィルタ１から分離することができる。【選択図】図１
2014226570.tif 000002
【特許請求の範囲】
【請求項１】
フィルタと、
前記フィルタを装着可能な枠状体と、
前記フィルタと前記枠状体との間に充填されたシール部材とを備えており、
前記枠状体の前記シール部材と対向する面に、熱可塑性材料が含有された塗布剤が塗布されており、
前記シール部材の粘度が前記塗布剤の粘度よりも低いことを特徴とするフィルタユニット。
【発明の詳細な説明】
【技術分野】
【０００１】
本発明は、空気中の微粒子を捕集するフィルタユニットに関する。
【背景技術】
【０００２】
空気中の微粒子を捕集するフィルタユニットとして、フィルタと、これを取り囲む枠状体とを備えたものが知られている（特許文献１等）。フィルタと枠状体との間にシール部材が充填されることで、フィルタと枠状体とが気密封止されている。これにより、フィルタと枠状体との間から微粒子の漏洩を抑止できる。
【先行技術文献】
【特許文献】
【０００３】
【特許文献１】特開２００１−４６８２０号公報
【発明の概要】
【発明が解決しようとする課題】
【０００４】
フィルタは不織布等の可燃性材料からなる一方で、枠状体は金属製板などの不燃性材料から形成されていることが多い。したがって、使用後はこれらを分離し、分別廃棄することが好ましいが、上記のようなシール部材を用いると、フィルタと枠状体とが強固に接着するため、分離することが難しい。そこで、通常、フィルタと枠状体とを分離することなく、接着した状態で産業廃棄物として廃棄している。しかしながら、近年の環境問題を考慮すると、フィルタと枠状体とを分別して廃棄することが好ましい。また、枠状体は再利用可能であるため、使用後にフィルタから分離可能であることが望ましい。
【０００５】
そこで、本発明の目的は、簡易な構造を採用しつつ、フィルタと枠状体とを分離可能なフィルタユニットを提供することである。
【課題を解決するための手段】
【０００６】
本発明のフィルタユニットは、フィルタと、前記フィルタを装着可能な枠状体と、前記フィルタと前記枠状体との間に充填されたシール部材とを備えている。前記枠状体の前記シール部材と対向する面には、熱可塑性材料が含有された塗布剤が塗布されている。また、前記シール部材の粘度が前記塗布剤の粘度よりも低い。
【０００７】
本発明では、フィルタユニットに熱を加えると、塗布剤が軟化することにより、枠状体をフィルタから分離することができる。これにより、フィルタと枠状体とを分けて処理（廃棄、再利用等）できる。
【発明の効果】
【０００８】
本発明では、フィルタユニットに熱を加えることにより、枠状体とフィルタとを分離することができるため、フィルタと枠状体とを分けて処理（廃棄、再利用等）できる。
【図面の簡単な説明】
【０００９】
【図１】（ａ）は本発明の実施形態に係るフィルタユニットの斜視図であり、（ｂ）はフィルタユニットの断面図（IB-IB線に沿った図）である。
【図２】フィルタユニットの組立工程を順に示した斜視図である。
【図３】フィルタユニットの分解工程を順に示した斜視図である。
【発明を実施するための形態】
【００１０】
以下、本発明の実施形態について説明する。
【００１１】
ここでは、本発明の実施形態であるフィルタユニット１００について、図１〜３を参照しつつ以下に説明する。
【００１２】
〔フィルタユニット〕
フィルタユニット１００は、図１に示すように、フィルタ１と、フィルタ１を取り囲む枠状体２とを備えている。フィルタ１と枠状体２との間にはシール部材３が充填されている（図１（ｂ）参照）。また、枠状体２のシール部材３と対向する面には、塗布剤４が塗布されている。
【００１３】
（フィルタ）
フィルタ１は、濾材シートをひだ状に折り畳んで形成されている。フィルタ１には、ガラス繊維の不織布、エレクトレット処理されたポリプロピレン繊維の不織布、ポリテトラフルオロエチレン多孔膜の不織布、ポリエステル、ポリエチレン、ポリプロピレンなどの有機繊維の不織布などを用いることができる。
【００１４】
（枠状体）
枠状体２は、図１（ａ）に示すように、四角枠状に形成され、４つの平板部２１,２２,２３,２４に分離可能に形成されている（図２参照）。平板部２１,２２,２３,２４は、それぞれ、フィルタ１の上側面、下側面、右側面、左側面に装着される。
【００１５】
平板部２１,２２,２３,２４には、前後方向に互いに対向する前側部と後側部とが長手方向に沿って設けられている（図２（ａ）の「平板部２３」の「前側部２３ａ」及び「後側部２３ｂ」参照）。前側部２３ａはフィルタ１の前面に沿って配置され、後側部２３ｂはフィルタ１の背面に沿って配置される。これにより、シール部材３の漏れを防止できるとともに、フィルタ１と枠状体２との間に空気が流入することを抑止できる。また、フィルタ１の端部を保持できるため、空気がフィルタ１を通過することで、フィルタ１に前後方向の力が作用しても、フィルタ１が枠状体２から外れにくい。
【００１６】
枠状体２には、アルミニウム板、亜鉛鋼板、ステンレス鋼板などの金属製板を用いることができる。また、ポリプロピレン、ＰＶＣなどのプラスチック製板も用いることができる。
【００１７】
（シール部材）
シール部材３は、塗布剤４よりも粘性の低い材料からなる。シール部材３には、ウレタン樹脂、エポキシ樹脂、シリコン樹脂等の熱硬化性樹脂や湿気硬化性樹脂等を用いることができ、粘度が９００ｍＰａ・ｓ以下のものを用いることが好ましい。このような材料は、粘度が低いため、フィルタ１と枠状体２との間に浸透しやすい。そこで、上記材料をフィルタ１と枠状体２との間に充填することで、これらの気密性を高めることができる。これにより、フィルタ１と枠状体２との間から空気や微粒子の漏洩を抑止できる。なお、シール部材３は、熱を加えても殆ど軟化しない。
【００１８】
（塗布剤４）
塗布剤４は、枠状体２の内側面（フィルタ１と対向する面）に塗布されている。これにより、枠状体２とシール部材３とが接着される。塗布剤４には、熱可塑性樹脂が含まれるものが用いられる。例えば、ホットメルトや（製品名）インテリマー〔米国ランディック社商標〕（ニッタ株式会社製）などを用いることができる。このような塗布剤４は、粘度が比較的高いため、溶融状態でもフィルタ１と枠状体２との間に浸透しにくい。したがって、塗布剤４は、フィルタ１と枠状体２とのシール（気密性向上）というよりも、フィルタ１と枠状体２（シール部材３）との接着に用いられる。
【００１９】
次に、フィルタユニット１００を組み立てる方法について、図２を参照しつつ説明する。
【００２０】
先ず、図２（ａ）に示すように、平板部２１,２２,２３,２４の内側面（フィルタ１と対向する側の面）に塗布剤４を塗布する。次に、塗布剤４の上に液体状のシール部材３を塗布する（図２（ｂ）参照）。シール部材３が硬化していないゲル状の状態で、平板部２１,２２,２３,２４をフィルタ１の上側面、下側面、右側面及び左側面に装着する。
【００２１】
フィルタユニット１００を分解するときは、加熱炉５０内でフィルタユニット１００を加熱する（図３（ａ）参照）。これにより、塗布剤４に含まれる熱可塑性樹脂が軟化することで、平板部２１,２２,２３,２４をフィルタ１及びシール部材３から取り外すことができる（図３（ｂ）参照）。ここで、図３（ｂ）には、分離時に、塗布剤４が平板部２１,２２,２３,２４の内側面にだけ残存している場合を示しているが、塗布剤４がフィルタ１やシール部材３に付着していてもよい。
【００２２】
以上に述べたように、本実施形態のフィルタユニット１００によると、フィルタユニット１００に熱を加えることで、塗布剤４の熱可塑性樹脂が軟化するため、枠状体２をフィルタ１から分離することができる。これにより、フィルタ１と枠状体２とを分別して廃棄できる。また、枠状体２を別のフィルタに装着することで枠状体２を再利用できる。
【００２３】
以上、本発明の実施形態について図面に基づいて説明したが、具体的な構成は、これらの実施形態に限定されるものでないと考えられるべきである。本発明の範囲は上記した説明ではなくて特許請求の範囲によって示され、特許請求の範囲と均等の意味及び範囲内でのすべての変更が含まれる。
【００２４】
例えば、フィルタユニット１００を組み立てる方法は本実施形態に示す順序に限られず、変更可能である。
【００２５】
また、上述した実施形態では、フィルタ１と枠状体２とを分離するときに、加熱炉５０でフィルタユニット１００を加熱したが（図３（ａ）参照）、加熱方法は上述した方法に限られない。例えば、フィルタユニット１００をホットプレート上で加熱してもよい。
【００２６】
１                   フィルタ
２                   枠状体
３                   シール部材
４                   塗布剤
２１,２２,２３,２４  平板部
２３ａ               前側部
２３ｂ               後側部
１００               フィルタユニット
【図１】
2014226570.tif 000003
【図２】
2014226570.tif 000004
【図３】
2014226570.tif 000005